(57)【要約】【課題】大画面であっても光漏れを生じさせず、表示品位の低下を抑制することが可能な偏光板が配置された液晶表示装置を提供する。【解決手段】表示面側から、表偏光板、液晶パネル及び裏偏光板をこの順に有する液晶表示装置であって、上記表偏光板及び裏偏光板の少なくとも一方は、第一偏光子及び第二偏光子を含む積層構造を有し、上記第一偏光子は、一枚の偏光子で構成されており、かつ偏光度の低い領域を第二偏光子よりも多く含み、上記第二偏光子は、同一面に並んで配置された複数枚の偏光子で構成されている液晶表示装置である。【選択図】図１
2011169922.tif 000002
【特許請求の範囲】
【請求項１】
表示面側から、表偏光板、液晶パネル及び裏偏光板をこの順に有する液晶表示装置であって、
該表偏光板及び裏偏光板の少なくとも一方は、第一偏光子及び第二偏光子を含む積層構造を有し、
該第一偏光子は、一枚の偏光子で構成されており、かつ偏光度の低い領域を第二偏光子よりも多く含み、
該第二偏光子は、同一面に並んで配置された複数枚の偏光子で構成されていることを特徴とする液晶表示装置。
【請求項２】
前記第二偏光子は、第一偏光子よりも液晶パネル側に配置されていることを特徴とする請求項１記載の液晶表示装置。
【請求項３】
前記表偏光板及び裏偏光板は、互いにクロスニコルの関係にあることを特徴とする請求項１記載の液晶表示装置。
【発明の詳細な説明】
【技術分野】
【０００１】
本発明は、液晶表示装置に関する。より詳しくは、大型の表示画面を有する液晶表示装置に関するものである。
【背景技術】
【０００２】
液晶表示装置は、低消費電力で駆動可能な表示装置であり、軽量化及び薄型化が容易に可能であることから、テレビ、パーソナルコンピュータ用モニタ、携帯端末用モニタ等に広く利用されている。一般的な液晶表示装置は、通常、一対の基板、一対の基板間に狭持された液晶層とを有する液晶表示パネル、液晶表示パネルの外面上の両方にそれぞれ配置された一対の偏光板、表示光として用いられる光を照射する光源等を備える。
【０００３】
偏光板は、光源から出射された自然光を一定の方向に振動する偏光に変換することができる偏光子を有する。偏光子の材料としては、ポリビニルアルコール（ＰＶＡ：Poly Vinyl Alcohol）系のフィルムにヨウ素錯体又は二色性色素を吸着させたものが多く用いられ、このようなフィルムを延伸することによって偏光子が作製される。ただし、ＰＶＡ系フィルムは、親水性ポリマーを使用していることから、特に加湿条件下において非常に変形及び収縮が起こりやすく、フィルム自体の機械的強度が弱いため、一般的に、偏光子の両面又は片面上には、偏光子を保護する保護層として機能するＴＡＣ（Tri Acetyl Cellulose：トリアセチルセルロース）等の基材が貼り合わされることになる。これにより、偏光板の強度を補うとともに、偏光子の信頼性を確保している。
【０００４】
液晶表示装置に関しては、近年、６０インチ型を越えるような大画面サイズを有するものが多く開発されている。そのため、パネルの土台となるガラス等の基板、更に偏光板についても大面積化が求められる。ところが、大画面サイズの液晶表示装置に一枚で対応できる偏光板を製造することは、現状では難しい。これは、偏光板の作製技術の点で、必要とされる偏光特性を有する偏光子を大画面サイズに適用可能なサイズとする方法が充分に確立されていないためである。
【０００５】
ここで、より大きな偏光子を作製するための工夫としては、例えば、液晶パネルの配向膜を光配向法を用いて作製する際に、光配向に用いる偏光を作製するためのワイヤーグリッド偏光素子を、光源の長手方向に沿って並べる配置方法が挙げられる（例えば、特許文献１参照。）。この偏光子では、偏光子の突き合わせ部分から無偏光光が漏れないように偏光子間に遮光部を配置している。
【０００６】
一方、液晶表示を行う画像表示装置の大型化に対応するための工夫としては、複数個の液晶表示装置を並べて配置し、それらの端面を突き合わせる方法が挙げられる（例えば、特許文献２参照。）。この画像表示装置では、これら複数個の液晶表示装置の突き合わせ端面で光モレが起こらないように、光学フィルムに対し、互いの端面が垂直とならないような加工がなされている。
【特許文献１】特開２００６−１２６４６４号公報
【特許文献２】特開２００６−１６３３７７号公報
【発明の開示】
【発明が解決しようとする課題】
【０００７】
このように、大画面の液晶表示装置に対し偏光板を配置するためには、前提として複数の偏光板を継ぎ合わせて配置する必要があったが、何らかの処置を行わない限り、その継ぎ合わせ領域においては光漏れが生じ、表示品位を低下させてしまう要因となってしまう点で改善の余地があり、上記文献の技術についても、構成が複雑となる点で更に改良の余地があった。
【０００８】
本発明は、上記現状に鑑みてなされたものであり、大画面であっても光漏れを生じさせず、表示品位の低下を抑制することが可能な偏光板が配置された液晶表示装置を提供することを目的とするものである。
【課題を解決するための手段】
【０００９】
本発明者は、大画面に適用可能な偏光板について検討するにあたり、まず、偏光子を１つの表示画面に対して並んで配置させた液晶表示装置でどのような表示品位が得られるかの検証を行った。そして、土台となる１つの大型基板に対して横並びに複数配置された偏光子は、貼り合わせの精度上、継ぎ合わされる偏光子間に、どうしても数μｍ程度の隙間が発生し、実質的にその隙間領域には偏光子が存在しないこととなり、表示のオン、オフに関わらず、その隙間から光漏れが生じ、表示画面に繋ぎ目を示す明るい線が視認されてしまうことを見いだした。また、本発明者は、液晶表示装置を製造するに当たり、高温エージング等の高温処理を行う、あるいは、液晶表示装置を長期間使用すること等によって偏光子を構成するフィルムに伸縮が生じてしまう結果、繋ぎ目となる偏光子間の隙間が更に広がり、偏光子を配置した当初に比べ、表示画面により幅の広い線が視認されることになってしまうことを見いだした。
【００１０】
次に、本発明者は、偏光子となるフィルムを大画面サイズに引き伸ばす方法について検討を行った。そして、偏光子の偏光特性において充分な偏光度を得ること（例えば、９９．９５％以上の偏光度を均一に得ること）にこだわらなければ、一定の偏光度を有する偏光子を大画面サイズに引き伸ばすことができることを見いだした。こうして作製された偏光子は、一部では９９．９５％以上の偏光度を有し、他の一部では９９．９０％程度の偏光度を有する等、偏光度にムラがあった。そして、これをそのまま大画面の液晶表示装置に適用したところ、ある程度の表示品位は得られたものの、表示にムラのある液晶表示装置が得られることとなった。
【００１１】
続いて本発明者は、これらの偏光子の各課題を解決する手段について種々検討を行ったところ、偏光度にムラのある一枚ものの偏光子と、偏光度にムラはないが複数枚が横並びに配置された偏光子とを重ねて配置することにより、それぞれの課題を補うことができ、良好な表示が得られることを見いだした。これは、光が最終的に充分な偏光特性を有する領域を透過しさえすれば、その前に偏光への充分な変換が行われなかったとしても、結果として偏光に変換されるという特性に着目したものであり、偏光は、ムラのある偏光子で変換されたものであっても、ムラのない偏光子で変換されたものであっても、いずれでもよく、このように配置することで、各偏光子を透過した光は、ほぼ完全な偏光となって出射されることになる。
【００１２】
より詳細に説明すると、上記のように両偏光子を重ね合わせたとき、先にムラのある偏光板を光が透過した場合には、充分な偏光度を有する領域を透過した光についてはほぼ完全な偏光となって出射され、一方、充分な偏光度を有しない領域を透過した光であっても、続いてもう一方のムラのない偏光子を透過することで、最終的にほぼ完全な偏光となって出射されることになる。また逆に、先に偏光子間に隙間を有する偏光子を光が透過した場合において、その隙間を通り抜けた光は偏光に変換されないが、続いてもう一方の偏光子を透過することによって、充分に偏光特性が付与されることとなるので、全体としてみれば最終的にほぼ全ての光が、両偏光子の少なくとも一方によりほぼ完全な偏光に変換されることとなる。
【００１３】
更に、複数枚で構成される偏光子に対し、隙間のない一枚ものの偏光子を重ねて貼り合せることで、複数枚で構成される偏光子間の隙間が広がることを抑制することができる。これは、偏光子となるフィルムの伸縮が偏光子の乾燥によって起こってしまうのに対し、このように偏光子を重ねて配置することで、外界との接触面積が減少し、偏光子の水分が抜けにくくなるためである。
【００１４】
こうして本発明者は、上記のような偏光子の配置を行うことにより、大画面であっても光漏れを生じさせにくくすることが可能であることを見いだし、上記課題をみごとに解決することができることに想到し、本発明に到達したものである。
【００１５】
すなわち、本発明は、表示面側から、表偏光板、液晶パネル及び裏偏光板をこの順に有する液晶表示装置であって、上記表偏光板及び裏偏光板の少なくとも一方は、第一偏光子及び第二偏光子を含む積層構造を有し、上記第一偏光子は、一枚の偏光子で構成されており、かつ偏光度の低い領域を第二偏光子よりも多く含み、上記第二偏光子は、同一面に並んで配置された複数枚の偏光子で構成されている液晶表示装置である。
【００１６】
以下に、本発明について詳述する。
【００１７】
本発明の液晶表示装置は、表示面側から、表偏光板、液晶パネル及び裏偏光板をこの順に有する。液晶パネルは、液晶材料が充填された液晶層を含む形で作製されたパネルであれば特に限定されず、例えば、一対の基板を有し、これら一対の基板間で液晶層を挟持する形態が挙げられる。また、これら一対の基板にそれぞれ電極を設けることで、液晶層内に電界を形成することができ、その電界の強さに基づき液晶分子の配向性を制御することができる。そして、液晶分子の配向によって液晶層を透過する光の偏光状態が変化し、液晶パネルを挟持する表偏光板及び裏偏光板の一対の偏光板によって透過又は遮断されるようにすることで、表示のオン及びオフを制御することができるようになる。
【００１８】
本発明において、上記表偏光板及び裏偏光板の少なくとも一方は、第一偏光子及び第二偏光子を含む積層構造を有し、上記第一偏光子は、偏光度の低い領域を第二偏光子よりも多く含む。すなわち、本発明において第一偏光子は、第二偏光子よりも偏光度のムラが多い。このような偏光度のムラは、偏光子内で偏光度の高い領域と偏光度の低い領域とが混在している場合に起こる。本明細書において「偏光度の低い領域」とは、偏光度が９９．９５％未満の領域であり、この領域を透過する光は、充分な偏光に変換されない。一方、「偏光度の高い領域」とは、偏光度が９９．９５％以上の領域であり、この領域を透過する光は、充分な偏光に変換されることとなる。
【００１９】
本発明において、上記第一偏光子は、一枚の偏光子で構成されており、上記第二偏光子は、同一面に並んで配置された複数枚の偏光子で構成されている。第一偏光子は、一枚ものの偏光子であり、同一面内に区切りが設けられていない。一方、第二偏光子は、同一面内に複数枚の偏光子が継ぎ合わせて配置された偏光子であり、各偏光子間には隙間がないことが好ましいが、本発明においては、これら複数枚の偏光子間にはわずかに間隔が空いていてもよい。なお、本発明においてこのような隙間は、１００μｍ以下であることが好ましい。本発明において、第二偏光子を構成する偏光子の枚数は、特に限定されない。
【００２０】
このような本発明の構成によれば、一枚で構成される第一偏光子の偏光度の制限が緩和されるため、大画面に対応可能な偏光板を設けることができ、また、複数枚で構成される第二偏光子の継ぎ合わせ部分に隙間があっても、表示品位を落とすことなく大画面表示に対応した偏光子とすることができ、更に、これら第一偏光子及び第二偏光子を重ねて配置することにより、複数枚の偏光子の継ぎ合わせ部分の間隔の広がりを抑制するという効果も得ることができるので、画面サイズに限定されず、高温処理等の製造工程の制限なく、かつ、長期にわたって表示ムラの少ない高品位な表示を得ることができることになる。
【００２１】
本発明の液晶表示装置の構成としては、このような構成要素を必須として形成されるものである限り、その他の構成要素を含んでいても含んでいなくてもよく、特に限定されるものではない。例えば、上記第一及び第二の偏光子に対しては、偏光子を透過する光に対し更に光学的特性を付与するための、位相差フィルム等の光学シートが更に配置されていてもよく、上記表偏光板及び裏偏光板は、第一及び第二偏光子のほかに、これら偏光子を保護する支持フィルムを備えていてもよく、上記液晶表示装置は、裏偏光板の背面側（装置内部側）に、バックライト等の画像表示を行うための光源を有していてもよい。
【００２２】
以下、本発明の液晶表示装置における好ましい形態について説明する。
【００２３】
上記第二偏光子は、第一偏光子よりも液晶パネル側に配置されていることが好ましい。光は、偏光子を透過する際に偏光軸の方向に振動方向を持つ偏光に変換されて出射されることになるが、液晶パネルを挟持する偏光子間に偏光軸を乱す要素が存在すると、その偏光軸がずれたまま液晶パネルに光が進むことになって光漏れの原因となり、均一な表示が得られないことがある。
【００２４】
偏光子に関しては、偏光子の偏光度が高いほど、偏光軸ばらつきは小さい。光は、偏光度が低い領域を透過した後に偏光度が高い領域を透過した場合には、後に透過した偏光度の高い領域で付与される偏光軸を有する偏光となるが、偏光度が高い領域を透過した後に偏光度が低い領域を透過した場合には、偏光度の高い領域を透過してきた偏光が、後に透過した偏光度の低い領域の影響を受け、偏光軸に若干のばらつきが生じることとなる。そのため、第一偏光子と第二偏光子とを重ね合わせる場合、より偏光度が高い領域を多く含む第二偏光子が液晶パネル側に配置されている方が、偏光ばらつきによる光漏れを抑制し、ムラの少ない均一な表示を得る観点から好ましい。
【００２５】
なお、本発明においては、上記第一偏光子で変換された偏光が、第二偏光子を構成する複数枚の偏光子の隙間を透過したとしても、その隙間領域において偏光軸がばらつくといった影響を受けることはないので、隙間領域があることに関して、液晶パネル側に向かって第一偏光子及び第二偏光子の順に配置することのデメリットはない。
【００２６】
上記表偏光板及び裏偏光板は、互いにクロスニコルの関係にあることが好ましい。本明細書において「互いにクロスニコルの関係にある」とは、対向する偏光板が備えるそれぞれの偏光子の吸収軸が実質的に直交する関係にあることをいう。このような吸収軸の方向は、偏光子を作製する際の偏光フィルムの延伸方向によって決まり、延伸方向がその吸収軸方向となる。なお、本明細書において吸収軸とは、その方向に振動する光を吸収する軸であり、偏光軸とは、その方向に振動する光を透過する軸である。偏光板を平面的に見た場合には、偏光軸と吸収軸とは実質的に直交する。液晶パネルを挟持する一対の基板の吸収軸が互いにクロスニコルの関係にあることで、液晶パネルに対し電圧が印加されていないときに偏光板によって光が遮断され、映像が表示されないノーマリーブラックモードとなる。これに対し、表偏光板と裏偏光板とで、吸収軸の方向が実質的に平行であるパラレルニコルの関係とし、液晶パネルに対し電圧が印加されていないときに映像が表示されるノーマリーホワイトモードとすることも考えられるが、ノーマリーブラックモードの方が白表示と黒表示との間の明るさの指標であるコントラストの点で優れており、より鮮明な表示を得ることができる。
【００２７】
吸収軸が互いにクロスニコルの関係にある２つの偏光板を同様の製造方法で作製するとき、一方の偏光板でのみ、充分な偏光度を得ることが難しい場合がある。これは、偏光子となるフィルムが、延伸方向に対しては充分な長さを確保できるものの、延伸方向と直交する方向において充分な幅を確保できず、大画面に適用するのに制限が生じてしまうことがあるためである。これに対し本発明によれば、上述のように、大画面化に対応可能な偏光子とすることができるため、このようにクロスニコルの配置とする場合でも、表偏光板及び裏偏光板の両方に対し充分な偏光度をもつ偏光子を配置することができ、それにより、高いコントラストを有する大画面の液晶表示装置を得ることができることになる。
【発明の効果】
【００２８】
本発明の液晶表示装置によれば、大画面を有する場合であっても、表偏光板及び裏偏光板のいずれに対しても、充分な偏光度を有する偏光子を配置することができるので、表示ムラの抑制された、優れた表示を得ることができる。また、本発明の液晶表示装置によれば、横並びに配置された偏光子間の隙間が広がることを抑制することができるので、長期にわたって優れた表示品位を保つことができる。
【発明を実施するための最良の形態】
【００２９】
以下に実施形態を掲げ、本発明について更に詳細に説明するが、本発明はこれらの実施形態のみに限定されるものではない。
【００３０】
（実施形態１）
図１は、実施形態１の液晶表示装置の構成を模式的に示す分解斜視図である。実施形態１の液晶表示装置は大画面を有しており、一般的に大型といわれる６０インチ型以上のサイズを有する。また、実施形態１の液晶表示装置は、一般的に超大型といわれる１０８インチ型の画面サイズを有するものに対しても適用することができる。
【００３１】
図１に示すように、実施形態１の液晶表示装置１０は、表示面側から、表偏光板３、液晶パネル１及び裏偏光板２をこの順に有している。裏偏光板２は、偏光度のムラが多い（偏光度の低い領域をより多く含む）第一偏光子２２、及び、偏光度のムラが少ない（偏光度の低い領域をより少なく含む）第二偏光子２４を含む積層構造を有しており、第二偏光子２４は、第一偏光子２２よりも液晶パネル１側に配置されている。また、裏偏光板２が備える第一偏光子２２は一枚の偏光子で構成されており、第二偏光子２４は同一面に並んで配置された二枚の偏光子で構成されている。実施形態１の液晶表示装置１０において、表示を行うための光（自然光）１００は、裏偏光板２から表偏光板３に向かって進み、偏光２００となって装置外に出射される。
【００３２】
実施形態１において液晶パネル１は、一対の基板１１，１２と、これら一対の基板１１，１２によって挟持される液晶層１３とを含んで構成されている。これら一対の基板１１，１２は、それぞれ、ガラス、樹脂等からなる支持基板、及び、該支持基板上に配置される、液晶表示を行うための各種配線等の部材を備えている。実施形態１においてこのような支持基板は一枚で構成されており、６０インチ型以上の大画面サイズを有する。
【００３３】
液晶パネル１の一例としては、これら一対の基板の一方をアレイ基板１１、もう一方をカラーフィルタ基板１２とし、アレイ基板１１においては、支持基板上に、液晶表示の駆動制御を行うための電極、配線、半導体素子、絶縁膜等を配置し、カラーフィルタ基板１２においては、支持基板上に、液晶表示の駆動制御を行うための電極、カラー表示を行うための着色層を構成する樹脂等を配置する形態が挙げられる。また、これら一対の基板のそれぞれに電極を配置することで、液晶層１３内に電界を形成することができ、その電界の強さに基づき液晶分子の配向を制御することができる。そして、液晶分子の配向によって液晶層１３を透過する光の偏光状態が変化し、液晶パネル１を挟持する表偏光板２及び裏偏光板３の一対の偏光板によって透過又は遮断されるようにすることで、表示のオン及びオフを制御することができるようになる。
【００３４】
実施形態１において液晶層１３内の液晶分子の配向方式は特に限定されず、ＴＮ（Twisted Nematic）方式、ＶＡ（Vertical Alignment）方式、ＩＰＳ（In-Plane Switching）方式等を適用することができる。したがって、実施形態１において液晶分子の種類は、負の誘電率異方性を有するネマチック液晶分子、正の誘電率異方性を有するネマチック液晶分子等、特に限定されず、配向方式にあわせて適宜選択すればよい。
【００３５】
実施形態１の液晶表示装置１０は、裏偏光板２の更に裏側、すなわち、装置内部側にバックライトを備える。バックライトの光源としては、冷陰極管（ＣＣＦＬ：Cold Cathode Fluorescent Lamp）、ＬＥＤ（Light Emitting Diode）等が挙げられる。光源の配置形態は、直下型、サイドライト（エッジライト）型等、特に限定されない。
【００３６】
図２は、実施形態１の液晶表示装置の積層構造を示す断面模式図である。実施形態１において裏偏光板２は、第一偏光子及び第二偏光子としてそれぞれＰＶＡ系フィルム２２，２４を有し、これらの偏光子を支持するフィルムとしてＴＡＣフィルム２１，２３を、ＰＶＡ系フィルム２２，２４のそれぞれの両側に有している。すなわち、実施形態１において裏偏光板２は、ＴＡＣフィルム２１、第一偏光子であるＰＶＡ系フィルム２２、ＴＡＣフィルム２１、ＴＡＣフィルム２３、第二偏光子であるＰＶＡ系フィルム２４及びＴＡＣフィルム２３を液晶パネル１側に向かってこの順に積層して有している。また、第一偏光子であるＰＶＡ系フィルム２２、及び、これを挟む両側のＴＡＣフィルム２１は、基板に対して１枚でその表面全体を覆うものであり、第二偏光子であるＰＶＡ系フィルム２４、及び、これを挟む両側のＴＡＣフィルム２３は、基板に対して複数枚でその表面全体を覆うものである。
【００３７】
実施形態１において裏偏光板２は、言い換えれば、ＰＶＡ系フィルム及びこれを挟む両側のＴＡＣフィルムで構成される、一枚品の偏光板１４と、二枚品の偏光板１５とを重ねあわせた構造である。このような一枚品の偏光板１４と二枚品の偏光板１５とは、接着剤を用いて互いに貼り付ける。したがってこのような配置形態は、製造が容易であるという利点を有する。
【００３８】
このように、実施形態１において裏偏光板２は、ＰＶＡ系フィルムの両側をそれぞれＴＡＣフィルムが挟み込む構造としているので、強固な保持効果を得ることができ、ＰＶＡ系フィルムの耐久性の向上及び高い伸縮防止効果を得ることができる。
【００３９】
なお、実施形態１においてこれらＰＶＡ系フィルム、ＴＡＣフィルム等を含む偏光板の積層構造は、このように一枚品の偏光板１４と二枚品の偏光板１５とをそのまま重ねあわせた構造に限定されず、下記応用例１〜３のような構成としてもよい。
【００４０】
実施形態１において表偏光板３は、偏光子としてＰＶＡ系フィルム２６を有し、このＰＶＡ系フィルム２６の両側にＴＡＣフィルム２５を有する。表偏光板３が備える偏光子２６は、一枚で構成されており、かつ、偏光度のムラが少ない（偏光度の低い領域をより少なく含む）偏光子である。実施形態１においては、大画面サイズとする場合において、このように表偏光板３及び裏偏光板２のいずれか一方の偏光板のみにおいて、一枚の偏光子でムラの少ないものとすることができない制限がかかってしまう場合を想定しており、大画面サイズでムラの少ない偏光子を一枚で構成することができる場合には、裏偏光板２のように第一偏光子と第二偏光子とを重ね合わせる形態としなくてよい。
【００４１】
実施形態１においてＰＶＡ系フィルム２２，２４，２６の表面には、ヨウ素錯体、二色性色素等の、電子密度が縦と横とで大きく異なる分子が吸着されている。また、ＰＶＡ系フィルム２２，２４，２６は、一定方向に延伸されており、このように延伸することで、分子の長軸が延伸方向に並んで配置されることとなり、その延伸方向に振動方向をもつ光は、当該分子によって吸収されることになる。なお、実施形態１においては、偏光子２２，２４，２６としてＰＶＡ系フィルムを用いているが、偏光特性を付与することができる限り特に限定されず、他の材料からなるフィルムを用いてもよい。
【００４２】
実施形態１では、偏光子２２，２４，２６の両側に配置される支持フィルム２１，２３，２５としてＴＡＣフィルムを用いているが、偏光子の変形及び収縮を抑制し、かつ偏光子を固定することができるものであれば、特に限定されない。支持フィルム２１の材料としては、例えば、ポリエチレンテレフタレート、ポリエチレンナフタレート等のポリエステル系ポリマー、二酢酸セルロース、三酢酸セルロース等のセルロース系ポリマー、ポリメチルメタクリレート等のアクリル系ポリマー、ポリスチレン、アクリロニトリル・スチレン共重合体（ＡＳ樹脂）等のスチレン系ポリマー、ポリカーボネート系ポリマー等が挙げられる。また、ポリエチレン、ポリプロピレン、シクロ系又はノルボルネン構造を有するポリオレフィン等のポリオレフィン、エチレン・プロピレン共重合体であるポリオレフィン系ポリマー、塩化ビニル系ポリマー、ナイロン、芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、これらポリマーの混合物等を用いてもよい。更に、アクリル系、ウレタン系、アクリルウレタン系、エポキシ系、シリコーン系等の熱硬化型又は紫外線硬化型の樹脂を用いてもよい。
【００４３】
支持フィルム２１，２３，２５は、透明性、機械的強度、熱安定性、水分遮断性等に優れた材料が用いられることが好ましい。優れた偏光特性及び耐久性を有するという観点からは、特にセルロース系ポリマーが好ましく、なかでも、消偏性（偏光を崩す性質）が小さく、透光性及び耐久性に優れたトリアセチルセルロース（ＴＡＣ）が好適である。一方、透湿性に優れており、偏光子の変形及び収縮の抑制に効果的であるという観点からは、ＣＯＰ（Cyclo Olefin Polymer：シクロオレフィンポリマー）が好ましい。
【００４４】
実施形態１の液晶表示装置が備える偏光板を構成する偏光子について、以下に詳述する。図３は、実施形態１の液晶表示装置が備える光学部材を模式的に示す分解平面図である。図３に示すように、実施形態１の液晶表示装置は、表示面側から、表偏光板３が備える偏光子２６、液晶パネル１、裏偏光板２が備える第二偏光子２４及び第一偏光子２２を、この順に含んで構成されている。裏偏光板２が備える第一偏光子２２は一枚の偏光子で構成されており、第二偏光子２４は複数枚の偏光子で構成されている。
【００４５】
図３に示すように、表偏光板３が備える偏光子２６の吸収軸は横方向であり、裏偏光板２が備える第二偏光子２４及び第一偏光子２２の吸収軸は縦方向であり、それぞれの吸収軸が実質的に互いに直交している。すなわち、実施形態１において表偏光板３と裏偏光板２とは互いにクロスニコルの関係にある。これにより、液晶パネル１に対し電圧が印加されていないときに、表裏の両偏光板２，３によって光が遮断され、映像が表示されないノーマリーブラックモードとすることができる。図３に示すように、実施形態１においてバックライトからの光（自然光）１００は、裏偏光板２側から表偏光板３側に向かって照射され、これら裏偏光板２及び表偏光板３を通り抜けることで、偏光２００となって表示光として装置外へ出射される。
【００４６】
図４は、実施形態１において裏偏光板が備える第一偏光子の平面模式図である。図４において、色の濃い部分がより偏光度の高い領域２２ａであり、色の薄い部分がより偏光度の低い領域２２ｂである。図４に示すように、実施形態１において裏偏光板２が備える第一偏光子２２は、一枚の偏光子で構成されている。すなわち、表示領域に相当する範囲において第一偏光子２２には隙間が設けられておらず、一枚のフィルムで構成されており、それゆえ、偏光子一枚あたりで６０インチ型以上の面積を有している。実施形態１において第一偏光子２２は、偏光度にムラが多いフィルムで構成されていてよい。すなわち、偏光度の低い領域が部分的に存在していてもよい。実施形態１において第一偏光子２２中に存在する偏光度が９９．９５％以上の領域の比率は、偏光子一枚あたりの面積に対し、５０％以上、９５％未満であり、偏光度が９９．９５％未満の領域が、残りの面積を占めている。このように偏光子の偏光度に均一性を厳密に求めないことで、大画面サイズの偏光子を一枚ものの形で得ることができる。
【００４７】
図５は、実施形態１において裏偏光板が備える第二偏光子の平面模式図である。図５に示すように、実施形態１において裏偏光板２が備える第二偏光子２４は、同一面に並んで配置された複数枚の偏光子で構成されている。すなわち、表示領域に相当する範囲において第二偏光子２４は、複数の偏光子が継ぎ合わされて一つの偏光子を構成しており、これにより、第二偏光子２４全体で６０インチ型以上の面積を有している。実施形態１において第二偏光子２４を構成する各偏光子間には、一定の幅を持つ隙間が設けられていてよい。このように偏光子を一枚ものに限定しないことで、偏光度にムラが少ない大画面サイズの偏光子を得ることができる。なお、実施形態１において第二偏光子２４を構成する偏光子の数は二枚で構成されているが、その数は特に限定されず、その画面サイズに合わせて三枚であっても、四枚であってもよく、適宜調整すればよい。更に、実施形態１において第二偏光子２３を構成する偏光子は、第二偏光子２３の長辺側を二等分することとしているが、短辺側を二等分するものであってもよく、長辺側及び短辺側の両方を二等分するものであってもよく、更に、その等分数も限定されない。また、必ずしも複数枚の偏光子が均等に配分されている必要はなく、適宜レイアウトの変更が可能である。実施形態１において、このような第二偏光子２４は、偏光度が９９．９５％以上の領域が偏光子一枚あたりの面積の９５％以上を占めている。
【００４８】
図６は、実施形態１において裏偏光板を構成する第一偏光子及び第二偏光子を示す平面模式図である。（ａ）は、第一偏光子の平面模式図であり、（ｂ）は、第二偏光子の平面模式図であり、（ｃ）は、第一偏光子及び第二偏光子を重ね合わせたときの平面模式図である。図６に示すように実施形態１において裏偏光板２は、このような第一偏光子２２と第二偏光子２４とが重ね合わされて構成されるものであり、偏光度のムラは多いが一枚で構成される第一偏光子２２と、偏光度のムラは少ないが複数枚で構成される第二偏光子２４とを互いに重ね合わせて一つの偏光子を形成することで、擬似的に、偏光度のムラが少ない一枚ものの偏光板２７を形成することができることとなる。このような偏光板２７は、これらのいずれか一枚を用いることで発生する、大画面化、表示ムラの発生、継ぎ合わせ領域における明線の発生といった課題を解消し、大画面サイズの表示画面であったとしても良好な表示品位を得ることができ、更に、高温処理等の製造工程の制限なく、かつ、長期にわたりそのような課題の発生を抑制することが可能となる。
【００４９】
（応用例１）
図７は、実施形態１の裏偏光板の応用例１を示す断面模式図である。実施形態１においては、２種類の偏光子を用いて構成される偏光板の構造をより簡易的にするために、偏光板の構造をこのような構成としてもよい。
【００５０】
図７に示すように、応用例１の偏光板１０２は、ＰＶＡ系フィルム１２２，１２４の両側にＴＡＣフィルム１２１，１２３，１２５が配置されているが、ＰＶＡ系フィルム及びこれを挟持する一対のＴＡＣフィルムで構成される偏光板を単純に２枚重ね合わせた形態と異なり、２枚のＰＶＡ系フィルム１２２，１２４の間には、１枚のみＴＡＣフィルム１２３が配置されている。すなわち、応用例１において偏光板１０２は、ＴＡＣフィルム１２１、ＰＶＡ系フィルム（第一偏光子）１２２、ＴＡＣフィルム１２３、ＰＶＡ系フィルム（第二偏光子）１２４、ＴＡＣフィルム１２５を液晶パネル１側に向かってこの順に積層して有している。また、第一偏光子であるＰＶＡ系フィルム１２２、及び、その下（バックライト側）に配置されたＴＡＣフィルム１２１は、基板に対して１枚でその表面全体を覆うものであり、第二偏光子であるＰＶＡ系フィルム１２４、及び、これを挟む両側のＴＡＣフィルム１２３，１２５は、基板に対して複数枚でその表面全体を覆うものである。
【００５１】
応用例１の配置形態によれば、上記図２で示したような、一枚品の偏光板１４と二枚品の偏光板１５とをそのまま重ねあわせた構造よりも薄い構造となるので、偏光板全体が薄膜化できる。また、ＴＡＣフィルムを一枚減らすことができる分、材料のコストダウンが図れ、透過率が向上する。更に、このような積層構造であっても、ＰＶＡ系フィルムの両側にＴＡＣフィルムが配置されているので、高い保持効果を得ることができ、ＰＶＡ系フィルムの耐久性の向上及び高い伸縮防止効果を得ることができる。
【００５２】
（応用例２）
図８は、実施形態１の裏偏光板の応用例２を示す断面模式図である。実施形態１においては、２種類の偏光子を用いて構成される偏光板の構造をより簡易的にするために、偏光板の構造をこのような構成としてもよい。
【００５３】
図８に示すように、応用例２の偏光板は、ＰＶＡ系フィルムの両側にＴＡＣフィルムが配置されているが、応用例１の偏光板と同様、ＰＶＡ系フィルム及びこれを挟持する一対のＴＡＣフィルムで構成される偏光板を単純に２枚重ね合わせた形態と異なり、２枚のＰＶＡ系フィルム２２２，２２４の間には、１枚のみＴＡＣフィルム２２３が配置されている。すなわち、応用例２において偏光板２０２は、ＴＡＣフィルム２２１、ＰＶＡ系フィルム（第一偏光子）２２２、ＴＡＣフィルム２２３、ＰＶＡ系フィルム（第二偏光子）２２４、ＴＡＣフィルム２２５を液晶パネル１側に向かってこの順に積層して有している。また、第一偏光子であるＰＶＡ系フィルム２２２、及び、これを挟む両側のＴＡＣフィルム２２１，２２３は、基板に対して１枚でその表面全体を覆うものであり、第二偏光子であるＰＶＡ系フィルム２２４、及び、その上（表示面側）に配置されたＴＡＣフィルム２２５は、基板に対して複数枚でその表面全体を覆うものである。
【００５４】
応用例２の配置形態によれば、上記図２で示したような、一枚品の偏光板１４と二枚品の偏光板１５とをそのまま重ねあわせた構造よりも薄い構造となるので、偏光板全体が薄膜化できる。また、ＴＡＣフィルムを一枚減らすことができる分、材料のコストダウンが図れ、透過率が向上する。更に、このような積層構造であっても、ＰＶＡ系フィルムの両側にＴＡＣフィルムが配置されているので、高い保持効果を得ることができ、ＰＶＡ系フィルムの耐久性の向上及び高い伸縮防止効果を得ることができる。それに加え、応用例２によれば、応用例１と異なり、第一偏光子であるＰＶＡ系フィルム２２３の表面が、第二偏光子であるＰＶＡ系フィルム２２４等の隙間を介して外界に露出していないため、第一偏光子であるＰＶＡ系フィルム２２３に対して、より高い保護効果を与えることができる。
【００５５】
（応用例３）
図９は、実施形態１の裏偏光板の応用例３を示す断面模式図である。実施形態１においては、２種類の偏光子を用いて構成される偏光板の構造をより簡易的にするために、偏光板の構造をこのような構成としてもよい。
【００５６】
図９に示すように、応用例３の偏光板は、第一偏光子であるＰＶＡ系フィルム３２２と第二偏光子であるＰＶＡ系フィルム３２４との間にＴＡＣフィルムを１枚も介さない形態であり、すなわち、応用例３において偏光板は、ＴＡＣフィルム３２１、ＰＶＡ系フィルム（第一偏光子）３２２、ＰＶＡ系フィルム（第二偏光子）３２４、ＴＡＣフィルム３２３を液晶パネル１側に向かってこの順に積層して有している。また、第一偏光子であるＰＶＡ系フィルム３２２、及び、その下（バックライト側）に配置されたＴＡＣフィルム３２１は、基板に対して１枚でその表面全体を覆うものであり、第二偏光子であるＰＶＡ系フィルム３２４、及び、その上（表示面側）に配置されたＴＡＣフィルム３２３は、基板に対して複数枚でその表面全体を覆うものである。
【００５７】
応用例３の配置形態によれば、ＰＶＡ系フィルムの保持効果は応用例１及び応用例２に比べてやや劣るものの、上記図２で示したような、一枚品の偏光板１４と二枚品の偏光板１５とをそのまま重ねあわせた構造よりもはるかに薄い構造となるので、偏光板全体を大幅に薄膜化できる。また、ＴＡＣフィルムを複数枚減らすことができる分、材料のコストダウンが図れ、透過率が大きく向上する。なお、応用例３において第一偏光子であるＰＶＡ系フィルム３２２と、第二偏光子であるＰＶＡ系フィルム３２４との間にはＴＡＣフィルムが配置されていないが、これらの外側には、それぞれ１枚ずつＴＡＣフィルム３２１，３２３が配置されているため、ＰＶＡ系フィルム３２２，３２４の保持効果は充分に得ることができる。
【００５８】
（実施形態２）
図１０は、実施形態２の液晶表示装置の構成を示す模式図である。（ａ）は分解斜視図であり、（ｂ）は断面図である。図１０に示すように、実施形態２の液晶表示装置２０は、表偏光板５において、偏光度のムラが多い（偏光度の低い領域をより多く含む）第一偏光子３６、及び、偏光度のムラが少ない（偏光度の低い領域をより少なく含む）第二偏光子３４を含む積層構造を有し、裏偏光板４において偏光度のムラが少ない（偏光度の低い領域をより少なく含む）偏光子３２を備える一枚品の偏光板を有していること以外は、実施形態１と同様である。すなわち、実施形態２の液晶表示装置２０は、本発明の第一偏光子及び第二偏光子の積層構造を、裏偏光板４ではなく、表偏光板５に用いている。なお、実施形態２の液晶表示装置２０において、表示を行うためのバックライトからの光（自然光）１００は、裏偏光板４から表偏光板５に向かって進むことになり、偏光２００となって装置外に出射される。
【００５９】
実施形態２において液晶表示装置２０は、表示面側から、表偏光板５、液晶パネル１及び裏偏光板４をこの順に有している。また、実施形態２において表偏光板５は、第一偏光子３６及び第二偏光子３４を含む積層構造を有しており、第二偏光子３４は、第一偏光子３６よりも液晶パネル１側に配置されている。
【００６０】
より詳しくは、実施形態２において表偏光板５は、第一偏光子及び第二偏光子としてそれぞれＰＶＡ系フィルム３６，３４を有し、これらの偏光子を支持するフィルムとしてＴＡＣフィルム３５，３３を、ＰＶＡ系フィルム３６，３４のそれぞれの両側に有している。すなわち、実施形態２において表偏光板５は、ＴＡＣフィルム３５、第一偏光子であるＰＶＡ系フィルム３６、ＴＡＣフィルム３５、ＴＡＣフィルム３３、第二偏光子であるＰＶＡ系フィルム３４及びＴＡＣフィルム３３を液晶パネル１側に向かってこの順に積層して有している。また、第一偏光子であるＰＶＡ系フィルム３６、及び、これを挟む両側のＴＡＣフィルム３５は、基板に対して１枚でその表面全体を覆うものであり、第二偏光子であるＰＶＡ系フィルム３４、及び、これを挟む両側のＴＡＣフィルム３３は、基板に対して複数枚でその表面全体を覆うものである。
【００６１】
また、実施形態２において裏偏光板４は、偏光子としてＰＶＡ系フィルム３２を有し、このＰＶＡ系フィルム３２の両側にＴＡＣフィルム３１を有する。
【００６２】
このような形態であっても、表偏光板５が、偏光度のムラが少ない一枚ものの偏光板と同様の特性を有することとなるため、大画面サイズの表示画面であったとしても良好な表示品位を得ることができ、高温処理等の製造工程の制限なく、かつ、長期にわたり良好な表示を保つことが可能となる。
【００６３】
なお、実施形態２においてこれらＰＶＡ系フィルム、ＴＡＣフィルム等を含む偏光板の積層構造は、上記応用例１〜３のような構成としてもよく、それぞれについて上記効果を得ることができる。
【００６４】
（実施形態３）
図１１は、実施形態３の液晶表示装置の構成を示す模式図である。（ａ）は分解斜視図であり、（ｂ）は断面図である。図１１に示すように、実施形態３の液晶表示装置３０は、表偏光板及び裏偏光板のいずれにおいても、偏光度のムラが多い（偏光度の低い領域をより多く含む）第一偏光子４２，４８、及び、偏光度のムラが少ない（偏光度の低い領域をより少なく含む）第二偏光子４４，４６を含む積層構造を有していること以外は、実施形態１と同様である。すなわち、実施形態３の液晶表示装置３０は、本発明の第一偏光子及び第二偏光子の積層構造を、表偏光板７及び裏偏光板６の両方に用いている形態である。なお、実施形態３の液晶表示装置３０において、表示を行うためのバックライトからの光（自然光）１００は、裏偏光板２から表偏光板３に向かって進むことになり、偏光２００となって装置外に出射される。
【００６５】
実施形態３において液晶表示装置３０は、表示面側から、表偏光板７、液晶パネル１及び裏偏光板６をこの順に有している。また、実施形態３において表偏光板７は、第一偏光子４８及び第二偏光子４６を含む積層構造を有しており、第二偏光子４６は、第一偏光子４８よりも液晶パネル１側に配置されている。更に、実施形態３において裏偏光板６は、第一偏光子４２及び第二偏光子４４を含む積層構造を有しており、第二偏光子４４は、第一偏光子４２よりも液晶パネル１側に配置されている。
【００６６】
より詳しくは、実施形態３において裏偏光板６は、第一偏光子及び第二偏光子としてそれぞれＰＶＡ系フィルム４２，４４を有し、これらの偏光子を支持するフィルムとしてＴＡＣフィルム４１，４３を、ＰＶＡ系フィルム４２，４４のそれぞれの両側に有している。すなわち、実施形態３において裏偏光板６は、ＴＡＣフィルム４１、第一偏光子であるＰＶＡ系フィルム４２、ＴＡＣフィルム４１、ＴＡＣフィルム４３、第二偏光子であるＰＶＡ系フィルム４４及びＴＡＣフィルム４３を液晶パネル１側に向かってこの順に積層して有している。また、第一偏光子であるＰＶＡ系フィルム４２、及び、これを挟む両側のＴＡＣフィルム４１は、基板に対して１枚でその表面全体を覆うものであり、第二偏光子であるＰＶＡ系フィルム４４、及び、これを挟む両側のＴＡＣフィルム４３は、基板に対して複数枚でその表面全体を覆うものである。
【００６７】
また、実施形態３において表偏光板７は、第一偏光子及び第二偏光子としてそれぞれＰＶＡ系フィルム４８，４６を有し、これらの偏光子を支持するフィルムとしてＴＡＣフィルム４７，４５を、ＰＶＡ系フィルム４８，４６のそれぞれの両側に有している。すなわち、実施形態１において表偏光板７は、ＴＡＣフィルム４７、第一偏光子であるＰＶＡ系フィルム４８、ＴＡＣフィルム４７、ＴＡＣフィルム４５、第二偏光子であるＰＶＡ系フィルム４６及びＴＡＣフィルム４５を液晶パネル１側に向かってこの順に積層して有している。また、第一偏光子であるＰＶＡ系フィルム４８、及び、これを挟む両側のＴＡＣフィルム４７は、基板に対して１枚でその表面全体を覆うものであり、第二偏光子であるＰＶＡ系フィルム４６、及び、これを挟む両側のＴＡＣフィルム４５は、基板に対して複数枚でその表面全体を覆うものである。
【００６８】
このような形態であっても、表偏光板３及び裏偏光板２が、偏光度のムラが少ない一枚ものの偏光板と同様の特性を有することとなるため、大画面サイズの表示画面であったとしても良好な表示品位を得ることができ、高温処理等の製造工程の制限なく、かつ、長期にわたり良好な表示を保つことが可能となる。
【００６９】
なお、実施形態３においてこれらＰＶＡ系フィルム、ＴＡＣフィルム等を含む偏光板の積層構造は、上記応用例１〜３のような構成としてもよく、それぞれについて上記効果を得ることができる。
【００７０】
（実施形態４）
図１２は、実施形態４の液晶表示装置の構成を示す模式図である。（ａ）は分解斜視図であり、（ｂ）は断面図である。図１２に示すように、実施形態４の液晶表示装置４０は、裏偏光板８において、偏光度のムラが少ない（偏光度の低い領域をより少なく含む）第二偏光子５４、及び、偏光度のムラが多い（偏光度の低い領域をより多く含む）第一偏光子５２が、液晶パネル１に向かってこの順に配置されていること以外は、実施形態１と同様である。すなわち、実施形態４の液晶表示装置４０は、第一偏光子及び第二偏光子の積層構造を裏偏光板に用いている形態であるが、第一偏光子及び第二偏光子の配置順が実施形態１の配置順と逆である。なお、実施形態４において、表示を行うためのバックライトからの光（自然光）１００は、裏偏光板２から表偏光板３に向かって進むことになり、偏光２００となって装置外に出射される。
【００７１】
より詳しくは、実施形態２において裏偏光板８は、第一偏光子及び第二偏光子としてそれぞれＰＶＡ系フィルム５２，５４を有し、これらの偏光子を支持するフィルムとしてＴＡＣフィルム５１，５３を、ＰＶＡ系フィルム５２，５４のそれぞれの両側に有している。すなわち、実施形態１において裏偏光板８は、ＴＡＣフィルム５３、第二偏光子であるＰＶＡ系フィルム３４、ＴＡＣフィルム５３、ＴＡＣフィルム５１、第一偏光子であるＰＶＡ系フィルム５２及びＴＡＣフィルム５１を液晶パネル１側に向かってこの順に積層して有している。また、第一偏光子であるＰＶＡ系フィルム５２、及び、これを挟む両側のＴＡＣフィルム５１は、基板に対して複数枚でその表面全体を覆うものであり、第二偏光子であるＰＶＡ系フィルム５４、及び、これを挟む両側のＴＡＣフィルム５３は、基板に対して１枚でその表面全体を覆うものである。
【００７２】
また、実施形態２において表偏光板９は、偏光子としてＰＶＡ系フィルム５６を有し、このＰＶＡ系フィルム５６の両側にＴＡＣフィルム５５を有する。
【００７３】
このような形態においては、バックライトからの光（自然光）１００は、第二偏光子を透過した後、第一偏光子を透過するため、光が第一偏光子を透過した後、第二偏光子を透過する実施形態１〜３の形態よりは表示特性の改善効果という点でやや劣るものの、第一偏光子又は第二偏光子を単独で用いる場合と比べ、裏偏光板２の偏光特性が大幅に向上するため、大画面サイズの表示画面であったとしても良好な表示品位を得ることができ、高温処理等の製造工程の制限なく、かつ、長期にわたり良好な表示を保つことが可能となる。
【００７４】
なお、実施形態４においてこれらＰＶＡ系フィルム、ＴＡＣフィルム等を含む偏光板の積層構造は、上記応用例１〜３のような構成としてもよく、それぞれについて上記効果を得ることができる。
【図面の簡単な説明】
【００７５】
【図１】実施形態１の液晶表示装置の構成を模式的に示す分解斜視図である。
【図２】実施形態１の液晶表示装置の積層構造を示す断面模式図である。
【図３】実施形態１の液晶表示装置が備える光学部材を模式的に示す分解平面図である。
【図４】実施形態１において裏偏光板が備える第一偏光子の平面模式図である。
【図５】実施形態１において裏偏光板が備える第二偏光子の平面模式図である。
【図６】実施形態１において裏偏光板を構成する第一偏光子及び第二偏光子を示す平面模式図である。（ａ）は、第一偏光子の平面模式図であり、（ｂ）は、第二偏光子の平面模式図であり、（ｃ）は、第一偏光子及び第二偏光子を重ね合わせたときの平面模式図である。
【図７】実施形態１の裏偏光板の応用例１を示す断面模式図である。
【図８】実施形態１の裏偏光板の応用例２を示す断面模式図である。
【図９】実施形態１の裏偏光板の応用例３を示す断面模式図である。
【図１０】実施形態２の液晶表示装置の構成を示す模式図である。（ａ）は分解斜視図であり、（ｂ）は断面図である。
【図１１】実施形態３の液晶表示装置の構成を示す模式図である。（ａ）は分解斜視図であり、（ｂ）は断面図である。
【図１２】実施形態４の液晶表示装置の構成を示す模式図である。（ａ）は分解斜視図であり、（ｂ）は断面図である。
【符号の説明】
【００７６】
１：液晶パネル
２，４，６：裏偏光板
３，５，７：表偏光板
１０，２０，３０，４０：液晶表示装置
１１：アレイ基板
１２：カラーフィルタ基板
１３：液晶層
２１，２３，２５，３１，３３，３５，４１，４３，４５，４７，５１，５３，５５，１２１，１２３，１２５，２２１，２２３，２２５，３２１，３２３：支持フィルム、ＴＡＣフィルム
２２，３６，４２，４８，５２，１２２，２２２，３２２：第一偏光子、ＰＶＡ系フィルム
２４，２６，３２，３４，４４，４６，５４，１２４，２２４，３２４：第二偏光子、ＰＶＡ系フィルム
２２ａ：より偏光度の高い領域
２２ｂ：より偏光度の低い領域
２７：擬似的な、偏光度のムラが少ない一枚ものの偏光板
１００：バックライトからの光（自然光）
１０２，２０２，３０２：偏光板
２００：偏光
【図１】
2011169922.tif 000003
【図２】
2011169922.tif 000004
【図３】
2011169922.tif 000005
【図４】
2011169922.tif 000006
【図５】
2011169922.tif 000007
【図６】
2011169922.tif 000008
【図７】
2011169922.tif 000009
【図８】
2011169922.tif 000010
【図９】
2011169922.tif 000011
【図１０】
2011169922.tif 000012
【図１１】
2011169922.tif 000013
【図１２】
2011169922.tif 000014